(57)【要約】      （修正有）【課題】コンロ内部で火炎が生じた場合でも電池ボックス付近から外部に火炎が漏れ出すことを防止する構成を提供する。【解決手段】ガスコンロにおいて、筐体部２に形成された第２の開口部７２の周縁部には電池ボックス部８０が取り付けられている。電池ボックス部８０は、樹脂材料からなる複数の壁部８３，８４，８５が連結された箱状形態をなすとともに筐体部２の外部空間に開口する第３の開口部７３が形成されている。カバー部材９０は、金属材料からなり、電池ボックスの各々の壁部８３，８４，８５を筐体部２の内部空間側から覆うように配置される。【選択図】図４
2018087644.tif 000002
【特許請求の範囲】
【請求項１】
不燃材料を主体として構成され、複数の側壁部及び底壁部によって内部空間が囲まれた箱状の形態をなすとともに上部に第１の開口部が形成され、複数の前記側壁部又は前記底壁部の少なくともいずれかに第２の開口部が形成された筐体部と、
不燃材料を主体として構成され、貫通形状の導出口が形成されるとともに前記筐体部の上部側に固定される天板部と、
前記筐体部に収容され、一部が前記導出口を介して前記筐体部の外部に露出した状態で配置されるコンロバーナと、
樹脂材料からなる複数の壁部が連結された箱状形態をなすとともに前記筐体部の外部空間に開口する第３の開口部が形成され、前記第２の開口部の周縁部に取り付けられる電池ボックス部と、
前記電池ボックス部の各々の前記壁部を前記筐体部の内部空間側から覆うように配置される金属材料からなるカバー部材と、
を有するガスコンロ。
【発明の詳細な説明】
【技術分野】
【０００１】
本発明は、ガスコンロに関するものである。
【背景技術】
【０００２】
ガスコンロは、電源として電池を使用するものが多く、この種のガスコンロでは、電池を保持するための電池ボックスを筐体内に設けた構成が知られている。例えば、特許文献１で開示されるガスコンロでは、本体ケース内の前面側に電池ボックスが配置され、本体ケースの前面より電池の交換が可能とされている。
【先行技術文献】
【特許文献】
【０００３】
【特許文献１】特開平１０−１３２２８０号公報
【発明の概要】
【発明が解決しようとする課題】
【０００４】
ところで、ガスコンロの種類によっては、筐体内の密閉性が比較的高くなるようなガスコンロも存在する。例えば、キャビネット内に装着されるガスコンロの一例として、フロントパネル部をも省略したようなガスコンロも想定され、この種のガスコンロでも、コンロバーナを点火させるためのイグナイタの作動や、コンロバーナの燃焼状態の検出などに電力が必要となるため、電池ボックスを設けることが求められる。
【０００５】
この種のガスコンロに電池ボックスを設ける場合、筐体の底面部などに電池ボックスを取り付け、筐体外から電池ボックスにアクセスできるようにすることが考えられる。しかし、少なくとも一部が筐体内に配置される電池ボックスに筐体外からアクセスし得るような構造とするためには、筐体の電池ボックス取付位置（例えば、筐体底面）に比較的大きな孔部を形成しなければならない。このように筐体に比較的大きな孔部を形成すると、筐体内で火が発生したときに、その火が筐体に形成された上記孔部を介して外部にあふれ出る虞がある。
【０００６】
本発明は、上述した課題を解決するためになされたものであり、筐体部の外側から電池ボックスにアクセスし得るガスコンロにおいて、コンロ内部で火炎が生じた場合でも電池ボックス付近から外部に火炎が漏れ出すことを効果的に防止し得る構成を提供することを目的とするものである。
【課題を解決するための手段】
【０００７】
本発明の一例であるガスコンロは、
不燃材料を主体として構成され、複数の側壁部及び底壁部によって内部空間が囲まれた箱状の形態をなすとともに上部に第１の開口部が形成され、複数の前記側壁部又は前記底壁部の少なくともいずれかに第２の開口部が形成された筐体部と、
不燃材料を主体として構成され、貫通形状の導出口が形成されるとともに前記筐体部の上部側に固定される天板部と、
前記筐体部に収容され、一部が前記導出口を介して前記筐体部の外部に露出した状態で配置されるコンロバーナと、
樹脂材料からなる複数の壁部が連結された箱状形態をなすとともに前記筐体部の外部空間に開口する第３の開口部が形成され、前記第２の開口部の周縁部に取り付けられる電池ボックス部と、
前記電池ボックス部の各々の前記壁部を前記筐体部の内部空間側から覆うように配置される金属材料からなるカバー部材と、
を有する。
【発明の効果】
【０００８】
上記ガスコンロは、筐体部に形成された第２の開口部の周縁部に電池ボックス部が取り付けられ、この電池ボックス部は、樹脂材料からなる複数の壁部が連結された箱状形態をなすとともに筐体部の外部空間に開口する第３の開口部が形成されている。このように構成されるため、ユーザは筐体部の外側から第３の開口部を介して電池ボックス部内にアクセスすることができ、電池の着脱等の作業を行いやすくなる。更に、電池ボックス部の各々の壁部を筐体部の内部空間側から覆うように金属材料からなるカバー部材が配置されるため、筐体部に形成された第２の開口部と電池ボックス部との間に形成される隙間の一部又は全部が塞がれる。よって、仮に筐体部内で火炎が発生しても、その火炎が筐体部に形成された第２の開口部と電池ボックス部との間から漏れ出るような事態が生じにくくなる。しかも、電池ボックス部の各々の壁部が金属材料からなるカバー部材で覆われるため、電池ボックスを火炎から効果的に保護することができる。また、電池ボックス部を火炎から保護することができるため、火炎に晒されて電池ボックス部が溶融してしまうような事態を回避しやすく、万が一、電池ボックス部が溶融して脱落してしまったとしても、カバー部材によって第２の開口部が塞がれているため、火炎が第２の開口部を介して外部に漏れ出ることを確実に抑えることができる。
【図面の簡単な説明】
【０００９】
【図１】図１は、実施例１のガスコンロを概略的に示す斜視図である。
【図２】図２は、実施例１のガスコンロを概略的に示す平面図である。
【図３】図３は、実施例１のガスコンロを概略的に示す底面図である。
【図４】図４は、図２のＡ−Ａ断面についての断面概略図である。
【図５】図５は、図２のＢ−Ｂ断面についての断面概略図である。
【図６】図６は、筐体部の一部をなす部材を平面視した平面概略図である。
【図７】図７は、図６の部材を底面視した底面概略図である。
【図８】図８（Ａ）は電池ボックス部の正面図であり、図８（Ｂ）は電池ボックス部の平面図である。
【図９】図９（Ａ）は電池ボックス部の側面図であり、図９（Ｂ）は電池ボックス部の底面図である。
【図１０】図１０（Ａ）はカバー部材の正面図であり、図１０（Ｂ）はカバー部材の平面図である。
【図１１】図１１（Ａ）はカバー部材の側面図であり、図１１（Ｂ）はカバー部材の底面図である。
【発明を実施するための形態】
【００１０】
＜実施例１＞
以下、本発明の一例を具現化したガスコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、例示である。
【００１１】
ガスコンロ１の概要を説明する。
図１等で示すガスコンロ１は、例えば、キャビネットなどの家具に落とし込んで設置されるものであり、具体的には、キャビネットの上面部に形成された上面開口部を介してキャビネット内に落とし込んで設置されるものである。ガスコンロ１は、キャビネット内に設置されたときに少なくとも上面側の部分（天板部３やコンロバーナ５など）が上方側に露出するように配置される。
【００１２】
ガスコンロ１は、コンロ外面部を構成する筐体部２を備え、この筐体部２の内部空間に各種部品が収容された構成をなす。筐体部２は、不燃材料を主体として構成されるものであり、例えば、金属材料のダイカストとして形成されている。
【００１３】
なお、筐体部２の材料は、不燃材料であれば金属材料であってもよく、非金属材料であってもよい。また、筐体部２の材料は、不燃材料が主体となっていればよく、大部分の割合が不燃材料であれば微少の可燃材料が含まれている材料などであってもよい。
【００１４】
筐体部２は、底壁部２Ｅから複数の側壁部２Ａ，２Ｂ，２Ｃ，２Ｄが立ち上がる形態で形成されており、４つの側壁部２Ａ，２Ｂ，２Ｃ，２Ｄ及び底壁部２Ｅによって内部空間が囲まれた箱状の形態をなす。筐体部２は、箱状のケース体となっていればよく、４つの側壁部２Ａ，２Ｂ，２Ｃ，２Ｄ及び底壁部２Ｅは、一体成形によって一体的に形成されていてもよく、複数の部材を互いに固定した形態で一体的に形成されていてもよい。
【００１５】
筐体部２の上部には、４つの側壁部２Ａ，２Ｂ，２Ｃ，２Ｄの上端部によって第１の開口部７１が形成されている。４つの側壁部２Ａ，２Ｂ，２Ｃ，２Ｄによって環状に構成される外壁部３０は、底壁部２Ｅから垂直状に立ち上がる垂直状壁部３１と、この垂直状壁部の上端部から外側に張り出すフランジ状の張出部３２とを有する。垂直状壁部３１の上端部が第１の開口部７１となっている。後述する天板部３は、このように構成された張出部３２及び第１の開口部７１を覆うように筐体部２に対して上側から固定される。
【００１６】
筐体部２の底壁部２Ｅは、矩形状且つ板状の構成をなしており、様々な部品を保持するように機能する。底壁部２Ｅには、平面視長方形状の貫通孔部として構成された第２の開口部７２が形成されている。第２の開口部７２及びこれに関連する構成については後に詳述する。このように構成された筐体部２には、天板部３が着脱可能に取り付けられている。
【００１７】
図１、図２には、天板部３を二点鎖線にて仮想的に示している。天板部３は、平面視矩形状且つ板状に構成されており、筐体部２の上部側に組みつけられた状態でガスコンロ１の上面部として機能する。天板部３は、筐体部２の上部（具体的には、垂直状壁部３１の上端部）に形成された第１の開口部７１を閉塞する形で筐体部２に対して上方側から組み付けられる。具体的には、天板部３は、筐体部２の張出部３２に支持され、張出部３２に対してねじ等の連結具を介して直接又は他部材を介して間接的に固定される。
【００１８】
天板部３は、不燃材料を主体として構成され、例えば、ステンレス等の金属材料によって構成されていてもよく、ガラス材料又はガラス成分を含む材料によって構成されていてもよい。天板部３は、幅方向中央付近且つ後方寄りの位置に貫通形状の導出口３Ａが開口形状で形成ている。導出口３Ａは、板状に形成された天板部３を厚さ方向に貫通する貫通孔部として形成されている。
【００１９】
なお、天板部３の材料は、不燃材料であれば金属材料であってもよく、非金属材料であってもよい。また、天板部３の材料は、不燃材料が主体となっていればよく、大部分の割合が不燃材料であれば微少の可燃材料が含まれている材料などであってもよい。
【００２０】
図１のように、天板部３に形成された導出口３Ａの内側には、一部が導出口３Ａに挿し通された形態でコンロバーナ５が設けられている。コンロバーナ５は、大部分が筐体部２内に収容され、一部が導出口３Ａを介して筐体部２の外部に露出した状態で配置される。
【００２１】
天板部３には、導出口３Ａの上側に配置される形で五徳（図示略）が設けられる。五徳は、上面部に調理鍋（図示略）等の調理容器を載置し得る構成となっている。コンロバーナ５は、燃焼ガスを燃焼させて五徳に載置された調理容器を加熱するように機能する。
【００２２】
図１のように、コンロバーナ５の中心にはセンサ部１５が設けられている。センサ部１５は上下方向に出退可能であり且つバネ（図示略）により上方側に付勢されている。
【００２３】
図１のようにガスコンロ１の上面側において、天板部３の前端寄り且つ右端寄りの領域には、天板部３を貫通した形で操作装置１０（点火・火力調整装置）が設けられている。なお、図１、図２の例では、天板部３において操作装置１０を挿し通すために設けられる孔部（操作部２１の軸部を挿し通すための孔部）は図示を省略している。操作装置１０は、操作部２１が天板部３の上方側に突出した形で配置され、外部からの操作部２１に対する操作によって動作する構成となっている。操作装置１０は、ガスバーナ６の点火及び火力調整を行う装置として機能し、点火や火力調整のための構成は公知の構成を採用し得る。
【００２４】
次に、電池ボックス部８０及びこれに関連する構成について詳述する。
図３、図４、図５で示すように、筐体部２には、電池ボックス部８０が取り付けられている。具体的には、筐体部２の底壁部２Ｅが図６、図７のような形態をなし、この底壁部２Ｅに電池ボックス部８０が取り付けられている。なお、図６は、筐体部２の一部をなす部材を平面視した平面概略図であり、図７は、その部材を底面視した底面概略図である。筐体部２は、実際には、底壁部２Ｅを含んでなる図６、図７で示す部材に対し、他の部材が連結された形で図１のような箱状形態をなしている。
【００２５】
図８及び図９は、電池ボックス部８０の具体的構成を示すものである。電池ボックス部８０は、図４、図５のように、筐体部２の底壁部２Ｅに形成された第２の開口部７２の周縁部（開口端部）に取り付けられる。図８、図９で示すように、電池ボックス部８０は、樹脂材料からなる複数の壁部８１，８２，８３，８４，８５が一体的に連結された箱状形態をなし、一方側（下方側）が開放した形態をなしている。電池ボックス部８０は、壁部８５が上壁部を構成し、４つの壁部８１〜８４が側壁部を構成する。上壁部となる壁部８５は、筐体部２の底壁部２Ｅよりも上位置（高い位置）に配置される。４つの壁部８１〜８４は側壁部として構成され、壁部８５から立ち下がるように形成され、互いに環状に連結されている。４つの壁部８１〜８４の下端部には、筐体部２の外部空間に開口するとともにその外部空間と電池ボックス部８０の内部空間との間の通り口となる第３の開口部７３が形成されている。
【００２６】
図４で示すように、電池ボックス部８０には、底壁部２Ｅを下側から押さえる第１係止部８６Ａが、壁部８１，８２，８３，８４の下端部付近において外側に張り出す張出部として形成されている。また、電池ボックス部８０には、底壁部２Ｅを上側から押さえる第２係止部８６Ｂが、壁部８３，８４において外側に突出する突起部として形成されている。そして、図４のように底壁部２Ｅに形成された第２の開口部７２の開口縁部（具体的には、直角状に折れ曲がった立ち上がり部）を第１係止部８６Ａ及び第２係止部８６Ｂによって上下に挟み込むように電池ボックス部８０が底壁部２Ｅに取り付けられている。具体的には、底壁部２Ｅに電池ボックス部８０を取り付ける場合、第２の開口部７２の下側（筐体部２の外側）から電池ボックス部８０を挿入する。挿入の際には、第２の開口部７２の長手方向と電池ボックス部８０の長手方向とを合わせるように位置合わせした状態で電池ボックス部８０を上部側（上壁部である壁部８５側）から挿入する。このような挿入が進むと、電池ボックス部８０の両側に形成された第２係止部８６Ｂが第２の開口部７２の開口縁部（具体的には、開口縁部の長手部分）を乗り越えるように底壁部２Ｅの上部側（筐体部２の内部側）に移動する。そして、このように第２係止部８６Ｂが第２の開口部７２の開口縁部を乗り越えると、第１係止部８６Ａがその開口縁部に下側から押し当てられ、開口縁部は第１係止部８６Ａ及び第２係止部８６Ｂによって上下に挟み込まれる。なお、第２係止部８６Ｂは、このような移動が円滑になされるように上方側ほど幅が狭くなる形態をなし、外面部がテーパ状になっている。
【００２７】
図５のように、電池ボックス部８０の内部において長手方向両端部付近には、収容される電池の端子に接触する端子部８９Ａ，８９Ｂがそれぞれ取り付けられている。端子部８９Ａ，８９Ｂには、配線部８８Ａ，８８Ｂがそれぞれ接続されており、配線部８８Ａ，８８Ｂは、後述するカバー部材９０を貫通して上側に延びるように配置されている。
【００２８】
図４、図９のように、電池ボックス部８０の一対の壁部８３，８４には、これらの下端部から下方側且つ幅方向内側に延びるように弾性変形可能な保持部８７Ａ，８７Ｂが片持ち状の延出部として形成されている。図３、図９で示す一対の保持部８７Ａ，８７Ａは、幅方向に対をなす形態で設けられ、一対の保持部８７Ｂ，８７Ｂも幅方向に対をなす形態で設けられている。一対の保持部８７Ａ，８７Ａが自然状態（押圧力が加わっていない状態）であるときの先端部間の間隔は、収容される電池Ｂ（図３）の径よりも小さくなっている。同様に、一対の保持部８７Ｂ，８７Ｂが自然状態（押圧力が加わっていない状態）であるときの先端部間の間隔は、電池Ｂの径よりも小さくなっている。一対の保持部８７Ａ，８７Ａ及び一対の保持部８７Ｂ，８７Ｂは、電池Ｂを着脱する際に弾性変形して先端部間の間隔が変化しうるようになっている。図３のように電池Ｂが収容された状態では、電池Ｂの下部側が一対の保持部８７Ａ，８７Ａ及び一対の保持部８７Ｂ，８７Ｂによって支持され、電池Ｂの離脱が防がれる。
【００２９】
ガスコンロ１では、このように構成された電池ボックス部８０を覆う構成でカバー部材９０が取り付けられている。
【００３０】
図１０及び図１１は、カバー部材９０の具体的構成を示すものである。カバー部材９０は、金属材料からなり、電池ボックス部８０の各々の壁部８１，８２，８３，８４，８５を筐体部２の内部空間側から覆うように配置される。カバー部材９０は、ねじ等の連結部材によって底壁部２Ｅに固定されている。
【００３１】
カバー部材９０は、金属材料からなる複数の壁部（カバー部）９１，９２，９３，９４，９５が一体的に連結された箱状形態をなし、一方側（下方側）が開放した形態をなしている。カバー部材９０は、壁部９５が上壁部を構成し、４つの壁部９１〜９４が側壁部を構成する。上壁部となる壁部９５は、底壁部２Ｅに対し段差状に配置される。４つの壁部９１〜９４は、壁部８５から立ち下がるように形成され、互いに環状に連結されている。４つの壁部９１〜９４の下端部は、底壁部２Ｅにおける第２の開口部７２の開口縁部付近に密着するように配置される。
【００３２】
カバー部材９０を構成する複数の壁部（カバー部）９１，９２，９３，９４，９５は、電池ボックス部８０の各々の壁部８１，８２，８３，８４，８５の外面部（電池ボックス部８０の電池収容空間側とは反対側の面の部分）をそれぞれ覆うように配置される。具体的には、箱状に形成されたカバー部材９０の箱状内部空間内に収容される形で電池ボックス部８０が配置される。
【００３３】
カバー部材９０の壁部９５における長手方向両端部付近には、電池ボックス部８０内に設けられた各端子部８９Ａ、８９Ｂに電気的に接続された配線部８８Ａ，８８Ｂを導出するための配線部導出口９７Ａ，９７Ａが貫通孔部として形成されている。
【００３４】
次に、本構成の効果を例示する。
図１等で示すガスコンロ１は、筐体部２に形成された第２の開口部７２の周縁部に電池ボックス部８０が取り付けられ、この電池ボックス部８０は、樹脂材料からなる複数の壁部８１，８２，８３，８４，８５が連結された箱状形態をなすとともに筐体部２の外部空間に開口する第３の開口部７３が形成されている。このように構成されるため、ユーザは筐体部２の外側から（具体的には、下側から）第３の開口部７３を介して電池ボックス部８０内にアクセスすることができ、電池Ｂの着脱等の作業を行いやすくなる。
【００３５】
更に、電池ボックス部８０の各々の壁部８１，８２，８３，８４，８５を筐体部２の内部空間側から覆うように金属材料からなるカバー部材９０が配置されるため、筐体部２に形成された第２の開口部７２と電池ボックス部８０との間に形成される隙間の一部又は全部が塞がれる。よって、仮に筐体部２内で火炎が発生しても、その火炎が筐体部２に形成された第２の開口部７２と電池ボックスとの間から漏れ出るような事態が生じにくくなる。しかも、電池ボックス部８０の各々の壁部８１，８２，８３，８４，８５が金属材料からなるカバー部材で覆われるため、仮に筐体部２内で火炎が発生しても、電池ボックス部８０を火炎から効果的に保護することができる。また、電池ボックス部８０を火炎から保護することができるため、火炎に晒されて電池ボックス部８０が溶融してしまうような事態を回避しやすく、万が一、電池ボックス部８０が溶融して脱落してしまったとしても、カバー部材９０によって第２の開口部７２が塞がれているため、火炎が第２の開口部７２を介して外部に漏れ出ることを確実に抑えることができる。
【００３６】
＜他の実施例＞
本発明は上記記述及び図面によって説明した実施例に限定されるものではなく、例えば次のような例も本発明の技術的範囲に含まれる。
【００３７】
実施例１では、第２の開口部が、筐体部の底壁部に設けられた例を示したが、筐体部の側壁部に第２の開口部が形成されていてもよい。この場合、電池ボックスは筐体部の側壁部に取り付けられていればよく、カバー部材は、この電池ボックスを覆うように配置されていればよい。
【００３８】
実施例１では、カバー部材と筐体部とが別部材として構成された例を示したが、カバー部材と筐体部とが一体成形などによって一体的に形成されていてもよい。
【符号の説明】
【００３９】
１…ガスコンロ
２…筐体部
２Ａ，２Ｂ，２Ｃ，２Ｄ…側壁部
２Ｅ…底壁部
３…天板部
３Ａ…導出口
５…コンロバーナ
７１…第１の開口部
７２…第２の開口部
７３…第３の開口部
８０…電池ボックス部
８１，８２，８３，８４，８５…壁部
９０…カバー部材
【図１】
2018087644.tif 000003
【図２】
2018087644.tif 000004
【図３】
2018087644.tif 000005
【図４】
2018087644.tif 000006
【図５】
2018087644.tif 000007
【図６】
2018087644.tif 000008
【図７】
2018087644.tif 000009
【図８】
2018087644.tif 000010
【図９】
2018087644.tif 000011
【図１０】
2018087644.tif 000012
【図１１】
2018087644.tif 000013